(57)【特許請求の範囲】
【請求項１】
送信信号と受信信号のフレームタイミングの位相差を補正するフレームタイミング位相差補正方法であって、
前記補正を行う補正周期としてフレーム周期の整数倍の周期を前記位相差と対応させて複数個設定するステップと、
前記補正を行う補正量としてクロック数を前記位相差と対応させて複数個設定するステップと、
フレーム周期ごとに検出された位相差に対応して前記補正周期を選択するステップと、
フレーム周期ごとに検出された位相差に対応して前記補正量を選択するステップと、
前記選択された補正周期ごとに、前記選択された補正量に基づき前記送信信号のフレームタイミングの位相を補正するステップと、
を有するフレームタイミング位相差補正方法。
【請求項２】
送信信号と受信信号のフレームタイミングの位相差を補正するフレームタイミング位相差補正装置であって、
前記補正を行う補正周期としてフレーム周期の整数倍の周期を前記位相差と対応させて複数個記憶する補正周期記憶部と、
フレーム周期ごとに、前記送信信号と前記受信信号のフレームタイミングの位相差を検出する位相差検出部と、
前記検出された位相差に基づきフレーム周期ごとに前記補正周期を選択する補正周期選択部と、
前記選択された補正周期ごとに、送信信号のフレームタイミング位相を所定の補正量で補正して出力するフレームタイミング生成部と、
を備えたことを特徴とするフレームタイミング位相差補正装置。
【請求項３】
前記フレームタイミング位相差補正装置は、
前記補正量としてクロック数を位相差と対応させて複数個記憶する補正量記憶部と、
前記フレーム周期ごとに検出された位相差に基づき前記補正量を選択する補正量選択部と、
前記選択された補正周期ごとに、送信信号のフレームタイミング位相を前記選択された補正量で補正して出力するフレームタイミング生成部と、
を備えたことを特徴とする請求項２記載のフレームタイミング位相差補正装置。
【請求項４】
前記補正量記憶部は、前記複数個の補正量を外部から制御して設定できる機能を備えたことを特徴とする請求項３記載のフレームタイミング位相差補正装置。
【請求項５】
前記位相差検出部は、前記位相差が所定の値を超えた場合に前記位相差を無効とする機能を備えたことを特徴とする請求項２記載のフレームタイミング位相差補正装置。
【発明の詳細な説明】
【技術分野】
【０００１】
本発明は、フレームタイミング位相差補正方法およびフレームタイミング位相差補正装置に関し、特に移動無線システムの移動端末において送信信号のフレームタイミングの位相を受信信号のフレームタイミングの位相に合わせるフレームタイミング位相差補正方法およびフレームタイミング位相差補正装置に関する。
【背景技術】
【０００２】
従来、受信データのフレームタイミングを受信装置内のフレームタイミングに合わせる装置としては、受信フレームタイミングと受信装置内の基準フレームタイミングの位相差を検出し、受信フレームタイミングを前記位相差だけシフトしたフレームタイミングに受信データを乗せ替える装置があった（特許文献１参照）。
【０００３】
また図１に、他の従来フレームタイミング位相差補正装置の構成例を示す。
【０００４】
図１において、１０１は位相差検出部、１０２は位相差検出結果格納部、１０３はフレームタイミング生成部をそれぞれ示す。
【０００５】
位相差検出部１０１は、フレームタイミング入力Ｓｉｎとフレームタイミング出力Ｓｏｕｔの位相差を検出し、位相差検出結果格納部１０２に格納する。格納された位相差に基づきフレームタイミング生成部１０３において、フレームタイミング入力Ｓｉｎを分岐した信号を遅延させる。この信号処理ステップは位相差検出部１０１の出力が０になるまで繰り返される。即ち、従来は位相差の大きさに対応して、フレームタイミング出力Ｓｏｕｔの位相差補正を行う周期（以下補正周期）や、一回の補正で補正するクロック数（以下補正クロック数）を可変させていたのではなく、常に固定した位相差周期や補正クロック数で補正の処理を行っていた。
【０００６】
図２に、従来のフレームタイミング位相差補正のタイミングを示すタイムチャートを示す。
【０００７】
＜１＞の時刻では、フレームタイミング入力Ｓｉｎと位相補正後フレームタイミング出力Ｓｏｕｔに位相差はなく、フレームタイミングが一致している。
【０００８】
＜２＞の時刻では、フレームタイミング入力Ｓｉｎが変動し、−２クロック変化したことにより、位相補正後フレームタイミング出力Ｓｏｕｔとの位相差が基本フレーム周期あたり−２クロックになる。
【０００９】
＜３＞の時刻では位相補正後フレームタイミング出力Ｓｏｕｔが−１クロック補正され、フレームタイミング入力Ｓｉｎに対し−１クロックの位相差となる。
【００１０】
＜４＞の時刻では、さらに−１クロック補正され、位相補正後フレームタイミング出力Ｓｏｕｔの位相はフレームタイミング入力Ｓｉｎの位相に対し０クロックになり、入力と出力のフレームタイミングが一致し補正処理は完了する。
【特許文献１】特開平９−１３５２３６号公報
【発明の開示】
【発明が解決しようとする課題】
【００１１】
先に説明した特許文献１の背景技術は、受信部の信号処理に用いる受信フレームタイミングの再生であって、受信フレームタイミングが異常に大きく変化した場合もそのまま応答するので、移動端末における上り回線の送信フレームタイミングとして用いると送信データに誤りを起こす不都合がある。
【００１２】
また図１に示した背景技術におけるフレームタイミング位相差補正装置では、位相差の大きさに対応して補正周期や補正クロック数を変更させていたのではなく、常に固定した動作で処理しており、フレームタイミング入力Ｓｉｎの位相が大きく変化した場合には、出力される位相補正後フレームタイミング出力Ｓｏｕｔの位相がＳｉｎの位相に一致するまでの繰り返し処理に時間がかかるという問題があった。
【００１３】
例えば、補正周期が２０ｍｓｅｃ（基準フレーム周期が２．５ｍｓｅｃの８フレーム毎に補正）、補正クロック数が１の場合では、位相差が５０クロックの場合に位相差補正の処理が完了するまでの時間は、２０ｍｓｅｃ×（５０÷１）＝１０００ｍｓｅｃ もかかってしまう。
【００１４】
従って、本発明の目的の１つは、移動端末において受信信号のフレームタイミングに対する送信信号のフレームタイミングの位相差の補正を適切な変化量で行い、補正完了するまでの時間を短縮するフレームタイミング位相差補正方法およびフレームタイミング位相差補正装置を提供することである。
【００１５】
尚、上記目的に限らず、後述する発明を実施するための最良の形態に示す各構成により導かれる結果であって従来の技術によっては得られない効果も、本発明の他の目的の１つとして位置付けることができる。
【課題を解決するための手段】
【００１６】
（１）本発明では、送信信号と受信信号のフレームタイミングの位相差を補正するフレームタイミング位相差補正方法であって、前記補正を行う補正周期としてフレーム周期の整数倍の周期を前記位相差と対応させて複数個設定するステップと、前記補正を行う補正量としてクロック数を前記位相差と対応させて複数個設定するステップと、フレーム周期ごとに検出された位相差に対応して前記補正周期を選択するステップと、フレーム周期ごとに検出された位相差に対応して前記補正量を選択するステップと、前記選択された補正周期ごとに、前記選択された補正量に基づき前記送信信号のフレームタイミングの位相を補正するステップとを有するフレームタイミング位相差補正方法を用いる。
（２）本発明では、送信信号と受信信号のフレームタイミングの位相差を補正するフレームタイミング位相差補正装置であって、前記補正を行う補正周期としてフレーム周期の整数倍の周期を前記位相差と対応させて複数個記憶する補正周期記憶部と、フレーム周期ごとに、前記送信信号と前記受信信号のフレームタイミングの位相差を検出する位相差検出部と、前記検出された位相差に基づきフレーム周期ごとに前記補正周期を選択する補正周期選択部と、前記選択された補正周期ごとに、送信信号のフレームタイミング位相を所定の補正量で補正して出力するフレームタイミング生成部と、を備えたことを特徴とするフレームタイミング位相差補正装置を用いる。
【００１７】
好ましくは、前記位相差検出部とフレームタイミング生成部は、動作するフレーム周期を外部から設定できる機能を備えたことを特徴とする請求項２記載のフレームタイミング位相差補正装置を用いる。
【００１８】
好ましくは、前記補正周期記憶部は、前記複数個の補正周期を外部から制御して記憶できる機能を備えたことを特徴とする請求項２記載のフレームタイミング位相差補正装置を用いる。
（３）また、前記フレームタイミング位相差補正装置は、前記補正量としてクロック数を位相差と対応させて複数個記憶する補正量記憶部と、前記フレーム周期ごとに検出された位相差に基づき前記補正量を選択する補正量選択部と、前記選択された補正周期ごとに、送信信号のフレームタイミング位相を前記選択された補正量で補正して出力するフレームタイミング生成部とを備えたことを特徴とする請求項２記載のフレームタイミング位相差補正装置を用いる。
（４）また、前記補正周期記憶部は、前記複数個の補正周期を外部から制御して記憶できる機能を備えたことを特徴とする請求項３記載のフレームタイミング位相差補正装置を用いる。
（５）また、前記位相差検出部は、前記位相差が所定の値を超えた場合に前記位相差を無効とする機能を備えたことを特徴とする請求項３記載のフレームタイミング位相差補正装置を用いる。
【００１９】
好ましくは、前記位相差検出部は、位相差を無効とする位相差を外部から制御して記憶できる機能を備えたことを特徴とする請求項３記載のフレームタイミング位相差補正装置を用いる。
【発明の効果】
【００２０】
本発明により、移動端末において受信信号のフレームタイミングに対する送信信号のフレームタイミングの位相差の補正を適切な変化量で行い、補正完了するまでの時間を短縮するフレームタイミング位相差補正方法およびフレームタイミング位相差補正装置を提供することが出来る。
【発明を実施するための最良の形態】
【００２１】
以下、図面を参照することにより本発明の実施の形態について説明する。
（実施例１）
実施例１においては、入力したフレームタイミングと出力したフレームタイミングの位相差に対応して補正周期を決定し、出力するフレームタイミング位相を補正することとする。
【００２２】
図３に実施例１におけるフレームタイミング補正装置の構成を示し、図４にはフレームタイミング補正装置の詳細構成を示す。
【００２３】
図３において、３０１は位相差検出部、３０２は位相差検出結果格納部、３０３は位相差補正制御部、３０４はフレームタイミング生成部をそれぞれ示す。
図４において、３０１−１はフレームカウンタ、３０１−２はラッチ、３０２−１はレジスタ、３０３−１はセレクタ、３０４−１は補正周期カウンタ、３０４−２はフレームカウンタ、３０４−３はデコード部、３０４−４はセレクタをそれぞれ示す。
【００２４】
また、図５には実施例１における各部のタイミングとデータ例を示す。
【００２５】
図５において、Ｄ５０１はフレームタイミング入力Ｓｉｎ、Ｄ５０２は位相差情報ａ、Ｄ５０３は累積位相差量ｂ、Ｄ５０４は補正周期カウンタ数値、Ｄ５０５はフラグｄ、Ｄ５０６は補正量ｅ、Ｄ５０７は正負情報、Ｄ５０８はセレクト信号ｆ、Ｄ５０９は位相差補正後フレームタイミング出力Ｓｏｕｔ、Ｔｉ１はフレームタイミング入力Ｓｉｎがその時出力した位相差補正後フレームタイミング出力Ｓｏｕｔに対し−２０クロック変化したフレーム、Ｔｉ２は−３０クロック変化したフレーム、ｔｃ１は補正周期カウンタ３０４−１がカウントを開始した時刻、ｔｃ２は補正周期カウンタ３０４−１が１補正周期カウントを終了し、−１クロックの位相補正を行った時刻、Ｔｏ１は位相差補正後フレームタイミング出力Ｓｏｕｔが−１クロック分の位相補正を受けた基本フレーム周期をそれぞれ示す。
【００２６】
図３、図４におけるフレームタイミング入力Ｓｉｎは、移動端末が無線基地局から受信したデータ信号からフレームタイミングを抽出した信号であり、伝播路の状態によるフレームタイミングの変化を忠実に再生している。
【００２７】
移動端末から基地局に向かって送信する上り回線のデータ信号のフレームタイミングは、移動端末が受信した下り回線のデータ信号のフレームタイミングに同期させるが、受信したフレームタイミングが大きく急変した場合は、上り回線がデータ誤りを起こさない程度のフレームタイミング位相補正量で補正して同期させる必要がある。
【００２８】
図３により実施例１における動作の概要を説明する。
【００２９】
図３に示す実施例１の位相差補正装置は、フレームタイミング入力Ｓｉｎの位相と、フレームタイミング出力Ｓｏｕｔの位相との位相差を検出する位相差検出部３０１と、検出された位相差を格納しておく位相差検出結果格納部３０２と、位相差の大きさに従って複数補正周期の１つを選択して制御する位相差補正制御部３０３と、選択された補正周期で位相差が補正されたフレームタイミングを選択して出力するフレームタイミング生成部３０４を備えている。
【００３０】
図４および図５により実施例１の詳細動作を説明する。
位相差検出部３０１内のフレームカウンタ３０１−１は、フレームタイミング入力Ｓｉｎの一番最初でトリガされて移動端末内の基準クロック（図示せず）をカウントし、位相差補正後フレームタイミング出力Ｓｏｕｔによりラッチ３０１−２でラッチされ、その間にカウントしたクロック数ａが位相差情報として出力する。
フレームタイミング入力Ｓｉｎが変動すると、ラッチ３０１−１でラッチされるカウンタ値が変化し、カウントしたクロック数ａが変化して位相差情報として出力する。
【００３１】
図５のＤ５０１のＴｉ１のフレームでは、出力のフレームタイミングに比べ位相差情報ａは−２０クロックであり、次のフレームＴｉ２では位相差情報ａは−３０クロックであり、これらの位相差情報は位相差検出結果格納部３０２に格納される。
【００３２】
位相差検出結果格納部３０２に格納された位相差情報ａは、レジスタ３０２−１で累積された位相差量ｂが計算され、位相差補正制御部３０３へ送られる。位相差補正制御部３０３では、受け取った累積位相差量ｂに基づきセレクタ３０３−１に予め記憶された補正周期値ｃを選択する。セレクタ３０３−１には予め複数の補正周期値が記憶されている。
【００３３】
例えば、累積位相差量ｂ（以下絶対値）が１〜１０クロックの場合は補正周期８フレーム、累積位相差量ｂが１１〜２０クロックの場合は補正周期７フレーム、以下累積位相差量が１０増加するに従い補正周期を１フレームづつ小さくし、累積位相差量ｂが７１〜８０の場合は補正周期は１フレームとする。
【００３４】
累積位相差量ｂの正負の符号は、正負情報としてデコード部３０４−３に提供される。
図５に示した例では、累積位相差量ｂが−５０クロックであるので、セレクタ３０３−１は補正周期ｃとして４フレームを選択する。
【００３５】
フレームタイミング生成部３０４では、前記のセレクタ３０３−１の選択機能により選択された値ｃにより、補正周期カウンタ３０４−１がロードされ、この場合補正周期は４フレームが設定される。補正周期カウンタ３０４−１は図５の時刻ｔｃ１からフレームのカウントを開始し、この場合４フレームなので図５に示すように、ｃ（ｈ）、ｄ（ｈ）、ｅ（ｈ）、ｆ（ｈ）とフレームをカウントアップし、４個目のフレームをカウント終了した時刻ｔｃ２を補正の時刻としフラグｄをデコード部３０４−３に出力する。
【００３６】
デコード部３０４−３では、正負情報、補正フラグｄを用いて、フレームカウンタ３０４−２からの、フレームタイミング信号を選択するための信号ｆを生成し、セレクタ３０４−４に出力する。
【００３７】
フレームカウンタ３０４−２は、位相差補正後フレームタイミング出力Ｓｏｕｔをロードし、基準クロック（図示せず）により順次遅延させ、複数の遅延したフレームタイミング信号を並列に出力する。フレームカウンタ３０４−２の初期値はフレームタイミング入力Ｓｉｎをロードして設定され、フレームカウンタ３０１−１および補正周期カウンタのフレームタイミングとの位相が合わされる。
【００３８】
図４では、フレームカウンタ３０４−２はロードした位相差補正後フレームタイミング出力Ｓｏｕｔを−４クロックから＋４クロックまで遅延させた合計９個の位相遅延の異なるフレームタイミング信号を並列に出力する。
【００３９】
デコード部３０４−３は−４クロック〜＋４クロックまでのフレームタイミング位相差の補正量に対応して、選択信号ｆの値１〜９を指定し、ｆ＝１は−４クロックの位相差補正値を示し、以下ｆの増加する順に−３クロック、−２クロック、・・・となりｆ＝９で＋４クロックの位相差補正とする基準を備えている。デコード部３０４−３は位相差補正なしの場合はｆ＝５を指定するが、実施例１の場合補正量は−１クロックとしており、ｆ＝４を指定しセレクタ３０４−４に出力する。
【００４０】
セレクタ３０４−４は、フレームカウンタ３０４−２の並列出力の中から、選択信号ｆ＝４に対応したフレームタイミンング信号を選択し、位相差補正後フレームタイミング出力Ｓｏｕｔとして出力する。
【００４１】
図５において時刻ｔｃ２における１回目の補正では、Ｄ５０３の累積位相差量ｂは−５０クロックから−４９クロックに改善したがまだ位相差は残っているので、以後、前記の動作が累積位相差量ｂが０になるまで繰り返される。累積位相差量ｂが０になった時が、フレームタイミング入力Ｓｉｎと位相差補正後フレームタイミンング出力Ｓｏｕｔの位相が一致した時である。
【００４２】
また、フレームカウンタ３０４−２は、基本フレーム周期に対しプラス側とマイナス側の両方の補正分が必要なため、基本フレーム周期２個分のカウンタとする。
【００４３】
フレームタイミング入力Ｓｉｎの位相が−５０クロックずれた場合、従来技術と本発明技術において位相差補正を完了するまでの時間を比較する。
【００４４】
基本フレーム周期を２．５ｍｓｅｃ、補正周期を８フレーム毎とすると、補正周期は２．５ｍｓｅｃ×８＝２０ｍｓｅｃ、位相差補正クロック数は１であるから、位相差を補正完了するまでの時間は、２０ｍｓｅｃ×（５０÷１）＝１０００ｍｓｅｃとなる。一方実施例１による本発明では、基本フレーム周期を２．５ｍｓｅｃ、補正周期を４フレーム毎を選択したので、補正周期は２．５ｍｓｅｃ×４＝１０ｍｓｅｃ、位相差補正クロック数は１であるから、位相差を補正完了するまでの時間は、１０ｍｓｅｃ×（５０÷１）＝５００ｍｓｅｃとなり、従来技術に比べ１／２に短縮される。
【００４５】
なお前記説明では、フレーム周期は予め定められた固定の値で動作するが、システムが変更された場合などに対応するためフレーム周期は可変とし、外部から設定することも出来る。図６にフレーム周期可変の位相差補正装置の構成を示す。
【００４６】
図６において、図３と同じものは同じ番号を付してあり、図３と異なるのは、フレーム周期設定信号が位相差検出部３０１とフレームタイミング生成部３０４に供給され、位相差補正装置は異なったフレーム周期にも対応出来るように設定される。図６における位相差補正装置は、フレーム周期が所定の値に設定されると、前記図３で説明した動作と同様に動作する。
【００４７】
また、図３のセレクタ３０３−１において、補正周期はｎ種類から１つを選択するが、ｎ個の補正周期の値を外部から設定変更できるように制御可能としてもよい。
（実施例２）
実施例２においては、入力したフレームタイミングと出力したフレームタイミングの位相差に対応して補正周期と補正クロック数を決定し、出力するフレームタイミング位相を補正することとする。
【００４８】
図７に実施例２におけるフレームタイミング補正装置の詳細構成を示す。
【００４９】
図７において、図４と同じものは同一の番号を付してあり、３０３−２はセレクタを示す。
【００５０】
図７が図４と異なるのは、位相差補正制御部３０３の中に複数補正クロック数を記憶し、位相差に基づきその１つを選択するセレクタ３０３−２を有するところである。即ち、実施例２では、補正クロック数を可変として制御する構成になっている。
【００５１】
図７に示す実施例２の動作について、前記実施例１と異なるところを説明する。
【００５２】
実施例２では、図７の累積位相差量ｂに対応してセレクタ３０３−２に予め記憶された補正クロック数の１つを選択し、選択された補正クロック数ｅをデコード部３０４−３に出力する。
【００５３】
デコード部３０４−３では、正負情報、補正フラグｄ、補正クロック数ｅを用いて、フレームカウンタ３０４−２から出力している複数のフレームタイミング信号の１つを選択するための信号ｆを生成し、セレクタ３０４−４に出力する。
【００５４】
フレームカウンタ３０４−２は、位相差補正後フレームタイミング出力Ｓｏｕｔをロードし、基準クロック（図示せず）により順次遅延させ、各遅延したフレームタイミング信号を並列に出力する。フレームカウンタ３０４−２の初期値出力はフレームタイミング入力Ｓｉｎをロードして設定され、フレームカウンタ３０１−１および補正周期カウンタのフレームタイミングとの位相が合わされる。
【００５５】
図７では、フレームカウンタ３０４−２はロードした位相差補正後フレームタイミング出力Ｓｏｕｔを−４クロックから＋４クロックまで遅延させた合計９個の位相遅延が異なるフレームタイミング信号を並列に出力する。
【００５６】
デコード部３０４−３は−４クロック〜＋４クロックまでのフレームタイミング位相差の補正量に対応して、選択信号ｆの値１〜９を指定し、ｆ＝１は−４クロックの位相差補正値を示し、以下ｆの増加する順に−３クロック、−２クロック、・・・となりｆ＝９で＋４クロックの位相差補正とする基準を備えている。デコード部３０４−３は位相差補正なしの場合はｆ＝５を指定する。
【００５７】
補正周期は図７に示した例では、累積位相差量ｂが−５０クロックであるので、実施例１で説明したのと同じ選択基準に従い、セレクタ３０３−１は補正周期ｃとして４フレームを選択する。
【００５８】
実施例２において補正クロック数は、累積位相差量ｂに対応して可変とすることができ、図７に示す例では最初は大きく−４クロックとしデコード部３０４−３からはｆ＝１がセレクタ３０４−４に出力され、累積位相差量ｂが小さくなった時には補正クロック数は−２クロックと小さくするためｆ＝３がセレクタ３０４−４に出力される。
【００５９】
セレクタ３０４−４は、フレームカウンタ３０４−２の並列出力の中から入力したｆに対応したフレームタイミンング信号を選択し、位相差補正後出力Ｓｏｕｔとして出力する。
【００６０】
図８に実施例２における各部のタイミングとデータ例を示す。
【００６１】
図８において、図５と同じものは同じ記号を付した。
【００６２】
図８における１回目の補正では、Ｄ５０３の累積位相差量ｂは時刻ｔｃ２において、−５０クロックから−４６クロックに改善したがまだ位相差は残っているので、以後、前記の動作は累積位相差量ｂが０になるまで繰り返される。ただし、累積位相差量ｂが減少するに従い、前記の選択基準に従い補正周期に変更する。また、繰り返しの最後の段階では補正クロック数を小さくして丁度位相差が０になるように設定する。
【００６３】
図９に実施例２における補正回数、補正周期、補正クロック数、補正後の累積位相差量、補正時間の例を示す。
【００６４】
補正後の累積位相差量ｂが０になった時が、フレームタイミング入力Ｓｉｎと位相差補正後フレームタイミンング出力Ｓｏｕｔの位相差が無くなり位相が一致した時である。
【００６５】
フレームタイミング入力Ｓｉｎの位相が−５０クロックずれた場合、従来技術と本発明技術において位相差を補正完了するまでの時間を比較する。
【００６６】
基本フレーム周期を２．５ｍｓｅｃ、補正周期を８フレーム毎とすると、補正周期は２．５ｍｓｅｃ×８＝２０ｍｓｅｃ、位相差補正クロック数は１であるから、位相差を補正完了するまでの時間は、２０ｍｓｅｃ×（５０÷１）＝１０００ｍｓｅｃとなる。一方実施例２による本発明では、図９に示した様に補正前の累積位相差量ｂに応じて、補正周期、補正クロック数を制御する。その結果補正時間の合計は１９５ｍｓｅｃとなり、前記従来技術の１０００ｍｓｅｃに比べ大幅に補正時間が短縮されることがわかる。
【００６７】
また、図７のセレクタ３０３−２において、補正クロック数はｎ種類から１つを選択するが、このｎ個の補正クロック数の値を外部から設定変更して制御可能としてもよい。
【００６８】
また、フレーム周期および位相補正周期の値も実施例１の場合と同じく、外部から設定変更して制御可能としてもよい。
（実施例３）
実施例３においては、フレームタイミング入力Ｓｉｎと位相差補正後フレームタイミング出力Ｓｏｕｔの位相差が所定の位相差量以上の場合は受信を無効とし、異常な位相差補正後フレームタイミング出力Ｓｏｕｔの生成を防止することとする。
【００６９】
図１０に実施例３におけるフレームタイミング補正装置の構成を示す。
【００７０】
図１０において図３と同じものは同一の番号を付してあり、１００１は位相差検出部を表す。
【００７１】
図１０が図３と異なるのは、位相差検出部１００１に受信可能範囲入力ΔＣが入るところであり、位相差検出部１００１は受信可能範囲入力ΔＣを用いて、受信を無効とするフレームタイミング入力Ｓｉｎを判断する。
【００７２】
図１１は、実施例３においてフレームタイミング入力Ｓｉｎが受信可能な範囲を外れる例を示す。
【００７３】
図１１において、Ｔ１、Ｔ２、Ｔ３は位相補正後フレームタイミング出力Ｓｏｕｔの１基本フレームの時刻を示し、Ｔ１、Ｔ２、Ｔ３それぞれに対し、フレームタイミング入力Ｓｉｎは±ΔＣの幅の受信可能範囲が設定される。
【００７４】
Ｄ１、Ｄ２、Ｄ３はフレームタイミンング入力Ｓｉｎを示し、それぞれＴａ、Ｔｂ、Ｔｃの時刻に入力する。
【００７５】
正常受信時は位相差補正後フレームタイミング出力Ｓｏｕｔの１基本フレームの時刻は、図１１のＴ１、Ｔ２、Ｔ３に示す様にほぼ一定間隔のタイミング周期となっている。
【００７６】
図１１の例では、フレームタイミンング入力Ｄ１、Ｄ２の時刻Ｔａ、Ｔｂは受信可能範囲内にあるが、フレームタイミンング入力Ｄ３の時刻Ｔｃは受信可能範囲外であるから位相差検出部１００１により受信無効と判断される。受信無効と判断されたフレームタイミンング入力Ｄ３に対しては、フレームタイミングの位相差情報ａは０として位相差検出結果格納部３０２に出力され、異常な位相差情報が除去される。
【００７７】
これ以降の動作は実施例２と同じであり、受信可能範囲内のフレームタイミンング入力Ｓｉｎに対しては、位相補正後フレームタイミング出力Ｓｏｕｔとの位相差が０になるまで位相差補正が行われる。
【００７８】
なお前記説明では、受信可能範囲ΔＣは初期設定した後は固定としたが、図１０に示す様に受信可能範囲ΔＣを外部から変更可能とし制御してもよい。
【００７９】
実施例３により、無線基地局と移動端末間の伝播等による異常なフレームタイミング受信の影響を防ぐことが出来る。これにより位相差補正装置の出力を用いた移動端末の上り回線の送信データ誤りの発生を防止する事ができる。
（付記１）
送信信号と受信信号のフレームタイミングの位相差を補正するフレームタイミング位相差補正方法であって、
前記補正を行う補正周期としてフレーム周期の整数倍の周期を前記位相差と対応させて複数個設定するステップと、
前記補正を行う補正量としてクロック数を前記位相差と対応させて複数個設定するステップと、
フレーム周期ごとに検出された位相差に対応して前記補正周期を選択するステップと、
フレーム周期ごとに検出された位相差に対応して前記補正量を選択するステップと、
前記選択された補正周期ごとに、前記選択された補正量に基づき前記送信信号のフレームタイミングの位相を補正するステップと、
を有するフレームタイミング位相差補正方法。
（付記２）
送信信号と受信信号のフレームタイミングの位相差を補正するフレームタイミング位相差補正装置であって、
前記補正を行う補正周期としてフレーム周期の整数倍の周期を前記位相差と対応させて複数個記憶する補正周期記憶部と、
フレーム周期ごとに、前記送信信号と前記受信信号のフレームタイミングの位相差を検出する位相差検出部と、
前記検出された位相差に基づきフレーム周期ごとに前記補正周期を選択する補正周期選択部と、
前記選択された補正周期ごとに、送信信号のフレームタイミング位相を所定の補正量で補正して出力するフレームタイミング生成部と、
を備えたことを特徴とするフレームタイミング位相差補正装置。
（付記３）
前記位相差検出部とフレームタイミング生成部は、動作するフレーム周期を外部から設定できる機能を備えたことを特徴とする付記２記載のフレームタイミング位相差補正装置。
（付記４）
前記補正周期記憶部は、前記複数個の補正周期を外部から制御して記憶できる機能を備えたことを特徴とする付記２記載のフレームタイミング位相差補正装置。
（付記５）
前記フレームタイミング位相差補正装置は、
前記補正量としてクロック数を位相差と対応させて複数個記憶する補正量記憶部と、
前記フレーム周期ごとに検出された位相差に基づき前記補正量を選択する補正量選択部と、
前記選択された補正周期ごとに、送信信号のフレームタイミング位相を前記選択された補正量で補正して出力するフレームタイミング生成部と、
を備えたことを特徴とする付記２記載のフレームタイミング位相差補正装置。
（付記６）
前記補正周期記憶部は、前記複数個の補正周期を外部から制御して記憶できる機能を備えたことを特徴とする付記５記載のフレームタイミング位相差補正装置。
（付記７）
前記位相差検出部は、前記位相差が所定の値を超えた場合に前記位相差を無効とする機能を備えたことを特徴とする付記５記載のフレームタイミング位相差補正装置。
（付記８）
前記位相差検出部は、位相差を無効とする位相差を外部から制御して記憶できる機能を備えたことを特徴とする付記５記載のフレームタイミング位相差補正装置。
【図面の簡単な説明】
【００８０】
【図１】位相差補正装置構成図（従来例）を示す図である。
【図２】位相補正のタイミング（従来例）を示す図である。
【図３】位相差補正装置構成図（実施例１、２）を示す図である。
【図４】位相差補正装置詳細構成図（実施例１）を示す図である。
【図５】位相補正する各部のタイミングとデータ例（実施例１）を示す図である。
【図６】位相差補正装置構成図（実施例１）を示す図である。
【図７】位相差補正装置詳細構成図（実施例２）を示す図である。
【図８】位相補正する各部のタイミングとデータ例（実施例２）を示す図である。
【図９】補正による累積位相差量の変化と時間
【図１０】位相差補正装置構成図（実施例３）を示す図である。
【図１１】受信可能範囲（実施例３）を示す図である。
【符号の説明】
【００８１】
１０１  位相差検出部
１０２  位相差検出結果格納部
１０３  フレームタイミング生成部
３０１  位相差検出部
３０２  位相差検出結果格納部
３０３  位相差補正制御部
３０４  フレームタイミング生成部
３０１−１  フレームカウンタ
３０１−２  ラッチ
３０２−１  レジスタ
３０３−１  セレクタ
３０３−２  セレクタ
３０４−１  補正周期カウンタ
３０４−２  フレームカウンタ
３０４−３  デコード部
３０４−４  セレクタ
１００１  位相差検出部
【図１】
0004826352.tif 000002
【図２】
0004826352.tif 000003
【図３】
0004826352.tif 000004
【図４】
0004826352.tif 000005
【図５】
0004826352.tif 000006
【図６】
0004826352.tif 000007
【図７】
0004826352.tif 000008
【図８】
0004826352.tif 000009
【図９】
0004826352.tif 000010
【図１０】
0004826352.tif 000011
【図１１】
0004826352.tif 000012